(57)【要約】      （修正有）【課題】着用者の端正な服装、髪型の容姿を乱すことのない日除け部材を提供する。【解決手段】ヘルメット内部のヘッドバンドに装着して使用するための日除け部材であって、面部材である日除け幕体１と、日除け幕体に設けてヘッドバンドＨ１を挟むように折り返して装着可能に構成した、少なくとも二本の帯２と、を含む。ヘッドバンドに装着した際にヘルメットＨから露出する日除け幕体の縦方向の最大長を８ｃｍ〜１０ｃｍとすることで、短髪の着用者の襟足部分だけを被覆でき、着用者の端正な服装、髪型の容姿を乱すことがない。【選択図】図２
0003217006.tif 000002
【実用新案登録請求の範囲】
【請求項１】
ヘルメット内部のヘッドバンドに装着して使用するための日除け部材であって、
面部材である、日除け幕体と、
日除け幕体に設けて、ヘッドバンドを挟むように折り返して装着可能に構成した、少なくとも二本の帯と、を含み、
ヘッドバンドに装着した際にヘルメットから露出する日除け幕体の縦方向の最大長が、８ｃｍ〜１０ｃｍであることを特徴とする、
ヘルメット用の日除け部材。
【請求項２】
日除け幕体の横方向の長さを、１８ｃｍ〜２２ｃｍに設定したことを特徴とする、
請求項１に記載のヘルメット用の日除け部材。
【請求項３】
日除け幕体の下縁の両側を円弧形状としていることを特徴とする、
請求項１または２記載のヘルメット用の日除け部材。
【請求項４】
日除け幕体の色彩が、黒色または紺色あるいはこれらの組合せであることを特徴とする、
請求項１乃至３のうち何れか１項に記載のヘルメット用の日除け部材。
【考案の詳細な説明】
【技術分野】
【０００１】
本考案はヘルメットに取り付ける日除け部材に関する。
【背景技術】
【０００２】
屋外作業で着用するヘルメットは、夏季にはその内部が高温、多湿になりやすく、着用者が熱中症になる可能性もある。
その対策として電動ファンで外気を送り込むようなヘルメットも考案されているが、当然高価なものになり、過酷な現場での使用は疑問である。
より簡易な構造として、下記の特許文献１〜４に示すような、ヘルメットの後部に日除けシートを取り付ける構造も開発されている。
図５に、特許文献１に示す日除け部材を示す。
【先行技術文献】
【特許文献】
【０００３】
【特許文献１】特開２０１７−１１５２７５号公報
【特許文献２】特開平１０−６０７２６号公報
【特許文献３】実開平５−１９３２３号公報
【特許文献４】実用新案登録公報第３１４７１７６号公報
【考案の概要】
【考案が解決しようとする課題】
【０００４】
前記した従来のヘルメット用の日除け部材は、いずれもヘルメットそのものの後部の縁に日除け部材を取り付ける構造である。
従来の日除け部材は、大きくカバーすることを重視している結果、日除け部材が目立ちすぎて現場での着装に違和感があり、デザイン上の工夫がなされていない。
その他、日除け部材は後頭部に密着しないから、後頭部と日除け部材との間に間隔が発生し、十分な遮熱を行うことができない。
【０００５】
このように、本発明は、着用者の端正な服装、髪型の容姿を乱すことのない日除け部材の提供を少なくとも目的の一つとする。
【課題を解決するための手段】
【０００６】
上記の課題を解決するための考案された本願考案は、ヘルメット内部のヘッドバンドに装着して使用するための日除け部材であって、面部材である、日除け幕体と、日除け幕体に設けて、ヘッドバンドを挟むように折り返して装着可能に構成した、少なくとも二本の帯と、を含み、ヘッドバンドに装着した際にヘルメットから露出する日除け幕体の縦方向の最大長が、８ｃｍ〜１０ｃｍであることを特徴とする。
また、前記考案では、日除け幕体の横方向の長さを、１８ｃｍ〜２２ｃｍに設定しておくことができる。
また、前記考案では、日除け幕体の下縁の両側を円弧形状としてもよい。
また、前記考案では、日除け幕体の色彩を、黒色または紺色あるいはこれらの組合せで構成してもよい。
【考案の効果】
【０００７】
本考案によれば、以下に記載する効果のうち、少なくとも何れか１つの効果を奏する。
（１）後頭部に密着するヘッドバンドに取り付ける構造であるから、日除け幕体と後頭部とに間隔が空くことがなく、間隔に熱気がこもらないから、日除け幕体による日除け効果を十分に発揮することができる。
（２）ヘッドバンドに装着した際にヘルメットから露出する日除け幕体の縦方向の長さを、８ｃｍ〜１０ｃｍに設定することで、着用者の後頭部の毛髪の範囲だからである。したがって着用した場合に、幕体による被覆箇所が、着用者の襟足部分までとなり、外部から観察しても後頭部に別の材料を取り付けているといった違和感がなく、着用者の抵抗がない。
（３）日よけ幕体が着用者の衣服、例えばワイシャツの襟に重なることがない。すると酷暑の時期に幕体に水を染み込ませて使用しても、濡れた幕体が襟に付着しないから、襟を汚すことがない。
（４）ヘルメットの内部に配置したヘッドバンドに取り付けるから、ヘルメットを重ねる場合に幕体を内部に巻き込んでしまえば障害にならない。従来の構造のようにヘルメットの縁に外付けするタイプでは円滑な積み重ねが困難である。
（５）日よけ幕体の外縁を人の後頭部の襟足の輪郭線を模した形状としておくと、より違和感の無い容姿を提供できる。
【図面の簡単な説明】
【０００８】
【図１】本考案のヘルメット用の日除け部材をヘルメットに取り付けて着用した状態の側面図。
【図２】日除け部材をヘルメットに取り付ける状態の説明図。
【図３】図２の状態のヘッドバンドの位置との説明図。
【図４】本考案の日除け部材を取り付けたヘルメットを着用した状態を背中側から見た場合の説明図。
【図５】従来の日除け部材の一例の説明図。
【考案を実施するための形態】
【０００９】
以下、図面を参照しながら、本考案の実施例について説明する。
【実施例】
【００１０】
＜１＞前提条件。
本考案の日除け部材は、内部にヘッドバンドを装着したヘルメットへの使用を前提とする。
【００１１】
＜２＞全体構成。
本考案の日除け部材は、図１に示すように日除け幕体１と、日除け幕体１に取り付けた帯２と、帯２に取り付けた面ファスナー３とより構成する。
【００１２】
＜３＞日除け幕体。
日除け幕体１（以下、単に「幕体１」ともいう。）は、全体に略長方形の柔軟な面状の部材であり、例えば厚めの布によって構成する。布であると、水を染み込ませることも容易である。
【００１３】
＜３．１＞日除け幕体の色彩。
幕体１は、黒色や紺色などのダーク系の色彩を採用することが好ましい。その理由は、幕体１をヘルメットＨに取り付けて着用した場合に、日除け幕体１の色彩と着用者の髪の色との間に近似性を持たせるためである。
前記色彩をＣＭＹＫカラーコードで現すと、以下のケースで設定することができる。
0003217006.tif 000003
なお、上記した範囲はあくまで一例であり、本考案の内容を特段限定するものではない。
【００１４】
＜４＞帯。
幕体１には少なくとも二本の帯２を取り付ける。
この帯２は、広げた時に幕体１の外部へ充分に伸展できる寸法を有する柔軟な部材であり、例えば長い布製の部材で構成することができる。
後述するように、帯２はヘルメットＨの内部に配置してあるヘッドバンドＨ１に巻き付け、折り返して使用するだけの長さを有する。
そして折り返した帯２が、ヘッドバンドＨ１で折り返して固定できるように、帯２の先端と、帯２を折り返した場合の幕体１の対応面に面ファスナー３を設けて構成する。
【００１５】
＜５＞日除け幕体の寸法。
ヘルメットＨを着用した場合に幕体１が着用者の後頭部を被覆して日光の直射を遮断する機能が大切であるから、この着用時の縦方向の長さが長ければ長いだけ後頭部全体、さらには肩までカバーできると考えるのが普通である。
このような、幕体１の面積、長さは大きければ有効、という考え方が図５などに示すような、先行技術として開示した従来の考案の発想である。
しかし本考案では、長ければ長いだけ有効、という技術思想は採用しないで、あえてその寸法を限定する。
すなわち、ヘッドバンドＨ１に装着した際にヘルメットＨから露出する幕体１の縦方向の最大長は、８ｃｍ〜１０ｃｍに設定したことを特徴とする。
さらにその場合の横方向の長さ、すなわち幅は１８ｃｍ〜２２ｃｍ程度の範囲で設定する。
【００１６】
＜６＞限定した根拠。
幕体１の長さを上記のように限定した根拠は、ヘルメットＨの着用時に外部から観察して、違和感、不快感を与えないためである。
警備の業務では、警察官のような法的な権限を持たずに一般人に行動を指示して合意を得る必要がある。そのためには、だらしのない服装、乱れた髪型、不健全な容姿では信頼、合意を得ることが難しい。
したがって、責任感のある企業体では長髪を禁止して、清潔な短髪で業務に就くことを義務としている。
しかし、せっかくの端正な服装、端正な髪型を採用しても、公知文献などに示すような長い、広い面積の幕体１で後頭部を被覆した場合には、あたかもだらしのない長髪とも見えてしまい、清潔な短髪にした意味が半減してしまう。
そこに本考案の数値限定に意味が出てくるのであるが、縦方向で８〜１０ｃｍ、横方向で１８ｃｍ〜２２ｃｍとしたのは、標準的な日本人の後頭部の髪の生える面積を根拠として採用したものである。
この寸法の幕体１で後頭部を被覆した場合には、外部から見ても短髪の髪の範囲だけを被覆しているから、まったく違和感がなく、端正な服装、髪型の容姿を乱すことがない。
さらに、幕体１の下縁の両側を円弧形状としておくと、幕体１が、人の後頭部の襟足の輪郭を模擬するため、より違和感の無い容姿を提供することができる。
【００１７】
＜７＞幕体の取り付け方法。
本考案において、幕体１と、ヘッドバンド１との取付態様は特段限定しない。
本実施例では、図２，３に示すように、幕体１の帯２をヘルメットＨの内部のヘッドバンドＨ１に巻き付けて行う。
すなわち帯２の先端をヘッドバンドＨ１の外側から差し込み、ヘッドバンドＨ１の位置で折り返す。
帯２の先端と、幕体１の内側の対応位置に面ファスナー３が取り付けてあるから、折り返した帯２の先端を幕体１の内側に押し付けることで両者を簡単に一体化することができる。
本考案の幕体１は上記のようにヘッドバンドＨ１の位置から吊り下がった状態であるから、幕体１は後頭部に密着しており、両者間に隙間がなく、熱気がこもる可能性がない。
なお、本考案の明細書で「内側」と称するのは、ヘルメットＨを着用した場合の後頭部側のことであり。その反対側を「外側」と称する。
【００１８】
＜８＞ヘルメットの着用。
上記の工程で幕体１を取り付けたヘルメットＨを着用した場合の後ろ姿を図４に示す。この図の通り外部から観察した場合に幕体１の存在は、着用者の後頭部の頭髪との相違がほとんどなく、短髪の清潔感、容姿全体の端正さを損なうことがなく、一般の人に良い印象を与え、ひいては、回り道に誘導するような、多少困難な指示にも円滑に従わせることができることになる。
さらに、酷暑の時期に幕体１に水を染み込ませて使用しても、幕体１の縦方向の寸法が上記した範囲だから、濡れた幕体１が襟に付着せず、襟や肩の範囲を汚すことがない。
【符号の説明】
【００１９】
１  ：日除け幕体
２  ：帯
３  ：面ファスナー
Ｈ  ：ヘルメット
Ｈ１：ヘッドバンド
【図１】
0003217006.tif 000004
【図２】
0003217006.tif 000005
【図３】
0003217006.tif 000006
【図４】
0003217006.tif 000007
【図５】
0003217006.tif 000008